(57)【特許請求の範囲】
【請求項１】
送信器及び受信器を含むテレビジョンシステムにおいてサービス情報を伝送する方法であって、
上記送信器のレベルでは、
イベントを送信する段階と、
上記イベントのアップグレード可能な要約のバージョンを、現在の伝送チャネルの現在及び次のイベントに関するイベント情報テーブルを介して送信する段階とを含み、
上記要約の現在のバージョンの内容は上記要約の以前のバージョンの送信から上記要約の現在のバージョンの送信の時点までに生ずるイベントの内容に依存すること、及び、
上記受信器のレベルでは、
上記現在のイベントに関して送信されたアップグレード可能な要約のすべてのバージョンのすべての内容を含むアップグレード可能な要約を生成するため、上記受信器のメモリの中に、上記現在のイベントの初めから連続的に受信されるバージョンを連結する段階を含む、ことを特徴とする方法。
【請求項２】
上記アップグレード可能な要約のバージョンは、上記イベントの内容を、
上記イベントの内容の特定の状態の発生に続いて定期的に変更すること、又は、
上記イベントの上記送信器のレベルにおける命令に続いて変更すること
のいずれかにより送信されることを特徴とする、請求項１記載の方法。
【請求項３】
上記バージョンは、特定の識別子によって識別されるバージョン記述子を含むディジタルストリーム中で送信されることを特徴とする、請求項１又は２記載の方法。
【請求項４】
テレビジョン受信器を用いてサービス情報を処理する方法であって、
イベントを受信し、
上記イベントのアップグレード可能な要約のバージョンを、現在の伝送チャネルの現在及び次のイベントに関するイベント情報テーブルを介して受信し、
上記要約の現在のバージョンの内容は上記要約の以前のバージョンの送信から上記要約の現在のバージョンの送信の時点までに生ずるイベントの内容に依存し、
上記現在のイベントに関して受信されたアップグレード可能な要約のすべてのバージョンのすべての内容を含むアップグレード可能な要約を生成するため、連続的に受信されるバージョンを連結し、
上記アップグレード可能な要約を受信器のメモリ（２５３）の中に記憶することを特徴とする方法。
【請求項５】
上記受信、連結、及び記憶は、上記受信器において実行されるアプリケーションからの要求によって作動されることを特徴とする、請求項４記載の方法。
【請求項６】
アプリケーションからの要求に続いて、表示手段（２１、２２）に、上記記憶されたアップグレード可能な要約を表示する段階を含むことを特徴とする、請求項４又は５記載の方法。
【請求項７】
受信され表示された最新のバージョンに関連する時間の印を表示する段階を含むことを特徴とする、請求項６記載の方法。
【請求項８】
上記アップグレード可能な要約を表示する段階は、新しいバージョンが受信されるたびに実行され、それにより表示手段（２１、２２）は記憶された最新のアップグレード可能な要約を常に表示することを特徴とする、請求項６又は７記載の方法。
【請求項９】
テレビジョンシステムにおいてサービス情報を受信する受信器であって、
イベント及び上記イベントのアップグレード可能な要約のバージョンを、現在の伝送チャネルの現在及び次のイベントに関するイベント情報テーブルを介して受信する受信手段（２，３，５）と、
上記現在のイベントに関して受信されたアップグレード可能な要約のすべてのバージョンのすべての内容を含むアップグレード可能な要約を生成するため、連続的に受信されるバージョンを連結する手段と、
上記アップグレード可能な要約を上記受信器のメモリ（２５３）の中に記憶する手段と、
上記アップグレード可能な要約を表示する手段（２１、２２）とを含むことを特徴とする受信器。
【請求項１０】
上記アップグレード可能な要約を表示する手段をユーザが作動させることを可能とする作動手段を含むことを特徴とする、請求項９記載の受信器。
【請求項１１】
新しいバージョンの受信を検出する手段を含み、上記検出手段は新しい受信のたびに上記アップグレード可能な要約を表示する手段を作動させることを特徴とする、請求項１０記載の受信器。
【発明の詳細な説明】
【０００１】
【発明の属する技術分野】
本発明はテレビジョンシステムにおけるサービス情報の管理の分野に関する。更に特定的には、本発明はかかるサービス情報を伝送する方法及び処理する方法に関連する。本発明はまた、テレビジョンシステムにおいてこのサービス情報を送信及び受信する送信器及び受信器、特にディジタルテレビジョン復号化器に関する。
【０００２】
本発明は、ウェブ上に存在する他のサービスに拡張されうる。
【０００３】
【従来の技術】
マン・マシンインタフェース（ＭＭＩ）は、テレビ視聴者に対して、放送されている番組に一般的に関連する情報について調べることを可能とする手段を提供する。情報は、ディジタルデータストリーム中で適当なデータパケットを多重化することによって伝送される。このタイプのデータにしばしば用いられる用語は「サービス情報」（又は単に「ＳＩ」）である。以下、「サービス」という用語は同一の番組提供者（「放送者」又は「サービスプロバイダ」）によって監視される一連の番組（テレビジョン放送用のニュース速報、映画、ショー等）を指すものとする。
【０００４】
サービス情報は、サービスプロバイダによって定期的に放送される。この情報は、特にサービスの番組に関するイベントを記述する。これらのイベントは、名前や、関連付けられるサービスプロバイダ等によってパラメータ化される。
【０００５】
一般的には、各イベントにその内容を要約する情報又は記述子を関連付けることにより、ユーザがイベントの要約を表示するための電子番組案内（ＥＰＧ）から特定のトピックを選択することによりイベントの大体の内容を確かめることを可能が可能とされる。
【０００６】
【発明が解決しようとする課題】
しかしながら、この情報又は要約記述子は当該のイベントの大体の内容について知らせるだけのものである。
【０００７】
本発明はこの問題を解決することを目的とする。
【０００８】
【課題を解決するための手段】
このため、本発明は、送信器及び受信器を含むテレビジョンシステムにおいてサービス情報を伝送する方法であって、
送信器のレベルでは、
イベントを送信する段階と、
上記イベントのアップグレード可能な要約のバージョンを送信する段階とを含み、
上記要約の現在のバージョンの内容は上記要約の以前のバージョンの送信から上記要約の現在のバージョンの送信の時点までに生ずるイベントの内容に依存すること、及び、
受信器のレベルでは、
受信器のメモリの中に連続的に受信されるバージョンを連結する段階を含み、イベントのアップグレード可能な要約は上記バージョンを連結した結果であることを特徴とする方法を提供する。
【０００９】
このようにして、ユーザがイベントの要約を見ようとする場合、本発明はユーザがイベントの既に放送された部分に関する要約のみを表示させることを可能とする。これは、イベントの開始から経過した時間を考慮に入れるという利点があり、このようにして形成された要約はイベントのアップグレード可能な動的な要約に類似している。
【００１０】
本発明の１つの実施例によれば、アップグレード可能な要約のバージョンは、イベントの内容を、
イベントの内容の特定の状態の発生に続いて定期的に変更すること、又は、
イベントの上記送信器のレベルにおける命令に続いて変更することのいずれかにより送信される。
【００１１】
１つの実施例によれば、要約を送信する段階は、要約の同一のアップデートバーションについて複数回実行される。
【００１２】
１つの実施例によれば、要約のバージョンの内容は、新しいバージョン毎にインクリメントされるバージョン番号によって参照される。
【００１３】
１つの実施例によれば、概要は、特定の識別子によって識別されるバージョン記述子を含むディジタルストリーム中で送信される。
【００１４】
本発明はまた、テレビジョン受信器を用いてサービス情報を処理する方法であって、
イベントを受信し、
イベントのアップグレード可能な要約のバージョンを受信し、
要約の現在のバージョンの内容は上記要約の以前のバージョンの送信から要約の現在のバージョンの送信の時点までに生ずるイベントの内容に依存し、
連続的に受信されるバージョンを連結し、
イベントのアップグレード可能な要約はバージョンを連結した結果であり、
アップグレード可能な要約を受信器のメモリの中に記憶することを特徴とする方法を提供する。
【００１５】
１つの実施例によれば、受信、連結、及び記憶は、受信器において実行されるアプリケーションからの要求によって作動され、アプリケーションは望ましくはユーザインタフェースである。
【００１６】
１つの実施例によれば、アプリケーションからの要求に続いて、表示手段に、上記記憶されたアップグレード可能な要約を表示する段階を含む。
【００１７】
１つの実施例によれば、受信され表示された最新のバージョンに関連する時間の印を表示する段階を含む。
【００１８】
１つの実施例によれば、アップグレード可能な要約は、特定の識別子によって識別される要約記述子を含むディジタルストリーム中で伝送される。
【００１９】
本発明はまた、テレビジョンシステムにおいてサービス情報を受信する受信器であって、
イベント及び上記イベントのアップグレード可能な要約のバージョンを受信する受信手段と、
上記イベントのアップグレード可能な要約が上記バージョンを連結した結果となるよう連続的に受信されるバージョンを連結する手段と、
上記アップグレード可能な要約を上記受信器のメモリの中に記憶する手段と、
上記アップグレード可能な要約を表示する手段とを含むことを特徴とする受信器を提供する。
【００２０】
１つの実施例によれば、受信器は、アップグレード可能な要約を表示する手段をユーザが作動させることを可能とする作動手段を含む。
【００２１】
１つの実施例によれば、受信器は、新しいバージョンの受信を検出する手段を含み、上記検出手段は新しい受信のたびに上記アップグレード可能な要約を表示する手段を作動させる。
【００２２】
本発明はまた、テレビジョンシステムにおいてサービス情報を送信する送信器であって、
イベントを送信する段階と、
イベントのアップグレード可能な要約のバージョンを送信する段階とを含み、
要約の現在のバージョンの内容は上記要約の以前のバージョンの送信から要約の現在のバージョンの送信の時点までに生ずるイベントの内容に依存することを特徴とする送信器を提供する。
【００２３】
【発明の実施の形態】
以下、添付の図面を参照して、非制限的な例として以下の典型的な実施例について説明することにより、本発明の他の特徴及び利点が明らかとなろう。
【００２４】
なお、サービスデータの形式及び内容、ＭＰＥＧ及びＤＶＢテーブル及びセクションについての詳細な情報については、以下の３つの文献を参照のこと。
【００２５】
ＥＮ３００４６８−Specification for Service Information (SI) in Digital Video Broadcast (DVB) systems-V1.3.1 (1998-02)、
ＩＳＯ／ＩＥＣ  １３８１８−１（１９９４）  Generic Coding of Moving Pictures and Associated Audio-Recommendation H.220（MPEGIIシステム）、
ＥＴＲ２１１−Digital Broadcasting systems for television: Implementation guidelines for the use of MPEG-2 systems; Guidelines on implementation and usage of service information。
【００２６】
図１は、ＤＶＢ（「ディジタルビデオ放送」）タイプのディジタルテレビジョン統合復号化器／受信器を示すブロック図である。本発明はこの物理的環境に限定されるものではなく、任意の他のタイプのサービスデータの伝送、例えばフレームフライバック間隔中に変調されるデータによる伝送に対して容易に適合されうることが明らかである。本発明はネットワーク型（例えばインターネット）の環境においても使用されうる。
【００２７】
図１の復号化器は、アンテナ１に接続され、アンテナ１自体が復号化器のチューナ２に接続される。チューナによって与えられる信号は、復調器３によって復調される。復調されたデータは補正回路４によって補正され、デマルチプレクサ５に送信される。
【００２８】
デマルチプレクサ５は、例えば同一出願人により１９９５年１２月２９日に出願されたフランス国特許出願第９５１５７６７号に記載されるのと同様のデマルチプレクサである。デマルチプレクサ５は、復号化器によってサポートされる様々な適用の機能としてマイクロプロセッサ２３によってプログラムされる幾つかのフィルタレジスタ（又は単にフィルタと称する）を含む。デマルチプレクサは、フィルタレジスタの内容とデータパケットの幾つかのパラメータとを比較し、正の比較結果に対応するデータパケットをロードする。
【００２９】
明瞭性のため、マイクロプロセッサ２３の最も重要な接続のみを図示する。デマルチプレクサによってフィルタリングされたオーディオ又はビデオパケットは、適用に応じてバッファメモリ６の所定の領域に記憶される。必要であれば、情報はまず、バッファメモリ６に記憶される前に、ユーザの権限による機能として暗号解読回路７によって解読される。
【００３０】
本発明によれば、以下の５つの適用がある。即ち、オーディオ復号化器１６、ビデオ復号化器１７、テレテキスト復号化器１８、アクセス制御アセンブリ（暗号解読器７、照合マイクロコントローラ８、及び通常の動作モードではマイクロプロセッサカード１０に接続されるマイクロプロセッサカード用インタフェース９を含む）と、サービスデータを管理するためのモジュール１９である。
【００３１】
復号化器はまた、遠隔制御装置の赤外線インタフェース２４を含み、このインタフェースもまたマイクロプロセッサ２３に接続される。マイクロプロセッサ２３は、オペレーティングシステムと、アプリケーションを実施するための常駐プログラム又はダウンロードされたプログラムを含む。交換電話網１４に接続されたモデム１３もまた、マイクロプロセッサによって制御される。
【００３２】
キャラクタ発生器１５は、復号化器のパラメータ又は特定のアプリケーションに関連するコマンドメニュー又はグラフィックスを発生させることを可能とする。このキャラクタ発生器によって発生されるビデオ信号は、ビデオ復号化器１７又はテレテキスト復号化器１８から発生したビデオ信号のうちの１つと多重化され、テレビ受像機２２に接続された第１のＳＣＡＲＴソケット又はビデオレコーダ２１に接続された第２のＳＣＡＲＴソケットに向けられる。多重化回路２０は、マイクロプロセッサ２３によって管理される。
【００３３】
本発明の典型的な実施例によれば、サービスデータを管理するモジュールは物理的にはマイクロプロセッサによって管理されるプログラムであるが、概念的にはオーディオ又はビデオ復号化器にあるデータパケットを処理するアプリケーションを含み、これらのデータパケットのために専用回路が使用される。モジュールはサービスデータ（ＭＰＥＧ及びＤＶＢのテーブル及びセクション）と顧客アプリケーション（番組案内、テレビショッピング、対話型ゲーム等）との間のインタフェースである。モジュールは、顧客アプリケーションの要求を管理し、受信されるサービスデータの強さについて内部データベースを維持する。
【００３４】
本発明の典型的な実施例によれば、顧客アプリケーションはマイクロプロセッサによっても管理される番組案内である。
【００３５】
このモジュール１９に関する更なる詳細について、また一般的にはデマルチプレクサ／マイクロプロセッサの間の関係では、サービスデータと顧客アプリケーションを管理するモジュールについては、本願の出願人によって１９９７年１２月２日に出願されたフランス国特許出願第９７１５１６３号を参照のこと。このフランス国特許出願では、管理モジュールは、顧客アプリケーションに対して、イベントの要約に関するアプリケーションによって必要とされる情報に関する要求を作るための幾つかの機能を利用可能とする。これらの要求を管理する機構は、本発明の主要部をなすものではないため、ここでは詳述しない。
【００３６】
１つの実施例によれば、上述の受信器は、上述のＤＶＢ標準に準拠するディジタルデータストリームを受信するためのものである。
【００３７】
サービスデータを管理するためのモジュールの１つの機能は、デマルチプレクサのフィルタをプログラムすることである。この機能を達成し、必要とされるデータに対する迅速なアクセスを可能とするため、アクセスしうる１つ以上のネットワークの物理的な構造のイメージを維持する。
【００３８】
文献ＥＮ３００４６８（文献Ｉ）及びＩＳＯ／ＩＥＣ１３８１８−１は、１つ以上のネットワーク、ブーケ、サービス、及び伝送されるイベントについての情報を与える１０のテーブルを定義する。テーブルは、パケット識別データ（「ＰＩＤ」）及びテーブル識別子（「ｔａｂｌｅ＿ｉｄ」）の特定に値によって識別され、これらの値は上記の文献によって定義されている。各テーブルは、１つのテーブルから他のテーブルへの伝送によってテーブルの内容が変更されたかを決定することを可能とするバージョン識別子を含む。
【００３９】
ここで注目すべきテーブルは、いわゆるイベント情報テーブル「ＥＩＴ」である。ＥＩＴテーブルは、所与のサービスにおけるイベントについての情報を含む。テーブル識別子によって順序付けられる以下の４つのタイプのＥＩＴテーブルが考慮される。即ち、現在の伝送チャネル又は他の伝送チャネル（「トランスポートストリーム」）の現在又は次のイベントに関する情報を含む２つのテーブルと、より長い持続時間の現在の伝送チャネル又は他のチャネルのためのイベントプログラミング情報を含む２つのテーブルである。
【００４０】
以下、現在の伝送チャネルの現在のイベント、及び関連するＥＩＴテーブルについてのみ説明する。
【００４１】
ＥＩＴテーブルは、例えば、イベント名、イベント持続時間、イベント開始時間等といったイベント又は番組に関するデータを含む。様々な記述子を使用することにより、例えば様々なタイプのサービスのための様々なタイプのイベント情報の伝送が可能となる。文献Ｉの「記述子」というタイトルの第６ｂ部には、特定のアドレスを割り当てることによりＳＩテーブル中で使用されうる様々な記述子が記載されている。
【００４２】
このように、第６部の表１２から明らかであるように、現在のイベントは幾つかの記述子によって記述されうる。このテーブル１２は、静的要約記述子（又は（「short_event_descriptor」）、以下ＳＥ（「Short Event」）記述子と称する、を含む。このＳＥ記述子は、文献Ｉのパラグラフ６．２．２７に詳述されており、現在のイベントの静的な要約、即ちイベントの一般的な要約を与える。
【００４３】
テーブル識別子の値０ｘ８０乃至０ｘＦＥは、プライベートテーブル用である。
【００４４】
本発明によれば、いわゆる動的要約記述子（「dynamic_event_descriptor」）、以下ＤＥＳ（「Dynamic Event Summary」）記述子と称する、が、現在の伝送チャネルの現在／次のＥＩＴテーブル中で、ＤＶＢストリームのプライベート拡張部中でサービスプロバイダによって伝送される。
【００４５】
ＤＶＢの用語を用いると、この記述子は以下のように定義される。
【００４６】
【表１】
0004845257.tif 000002
Descriptor tag（記述子識別子）は、各記述子を識別する８ビットのフィールドである。とりうる値は、文献ＩＳＯ／ＩＥＣ１３８１８−１に記載されている。０ｘ８０乃至０ｘＦＥにある記述子識別子の値はプライベート記述子のために逆にされるため、１つ以上のＤＥＳ識別子として使用されうる。以下、他のプライベート記述子は使用されないと想定し、例えば０ｘ８０をＤＥＳ記述子のための識別子の値として選択する。
【００４７】
Descriptor_length（記述子の長さ）は、記述子のデータ部に含まれるバイトの総数である。
【００４８】
ISO_639_language_code（ＩＳＯ＿６３９言語コード）は、記述子のテキストデータの言語を識別する。例えば、「ｆｒｅ」はフランス語に対応する。
【００４９】
Update_version_number（更新バージョン番号）は、記述子の現在のバージョン番号である。この番号は、ＤＥＳ記述子の内容が変更されるたびにインクリメントされ、それによりアプリケーションは、データキャッシュの更新について決定しうる。
【００５０】
Update_time（更新時間）は、情報が更新された時間である。
【００５１】
Text_lengthは、記述子の内容に含まれる文字数、即ち動的要約に対応するテキストの文字数である。
【００５２】
上記の定義により、例えば自動車レースについて伝送する場合は、ＤＥＳ記述子は以下の形式、即ち、
0004845257.tif 000003
となる。
【００５３】
上述のように、この記述子を受信器のレベルで受信すること、及び特定のフィルタによって抽出することは、フランス国特許出願第９７１５１６３号に記載される手段によって実施されうる。
【００５４】
図２は、本発明の枠組みにおける様々なエンティティに一致するＵＭＬ表記によるクラス図を示す。このモデル化は、ソフトウエア産業において認識される表記によりソフトウエアシステムを指定し、表示し、生成し、作成することを可能とする。
【００５５】
以下、マイクロプロセッサ／デマルチプレクサ、管理モジュール、及び顧客アプリケーションは、当業者によって周知の「マン・マシンインタフェース」（ＭＭＩ）と称される単一の概念的なエンティティとしてまとめられる。図３は、ユーザが動的要約情報を要求したときの様々なエンティティ間で行われる交換のシーケンスを示す図である。図２及び図３は、ユーザ要求に続いてＤＥＳ記述子を捕捉するための機構について明らかとする。クラス図は、システムの静的な面｛ストリーム、ＭＭＩ、記述子、遠隔制御装置、情報メニュー｝を設定し、即ちシステム及び関連するものの様々なエンティティを定義する。一方、シーケンス図は、システムの動的な面、即ち、関数の呼出しをつなげることを示している。図２は、システムの動作を理解するために必要とされるクラスのみを含むことに注意すべきである。
【００５６】
図２は、「Man/Machine Interface」クラスと対話する「Remote Control Receiver」クラスを含む。「Man/Machine Interface」クラスは、InfoKeyPressedメソッド及びOKKeyPressedメソッドを含む。「Man/Machine Interface」クラスは、「InfoMenu」クラスにも接続され、「InfoMenu」クラスの属性は、イベント名EvtName、イベントの要約Summary、イベントの動的な要約DynamicSummary、及び更新時間UpdateTimeである。このクラスにおいて呼び出されうるメソッドは、表示メソッドDisplay()、マスクをかけるメソッドHide()、イベント名を決めるメソッドDefineEvtName(text)、要約を決めるメソッドDefineSummary(text)、動的要約を決めるメソッドDefineDynamicSummary(text)、及び時間を更新するメソッドDefineUpdateTime(text)である。クラス図において、メソッドに関連する括弧の内容は、入力として予想されるパラメータの型に対応する。更に、パラメータには名前が付される。従って、時間を決めるメソッドの書かれた表現の正確な形式は、DefineTime(integer day,integer month, integer year)となる。シーケンス図及びコード自体においては、括弧の内容は有効パラメータと称され、例えばDefineTime(30, 9, 1999)として表現される。
【００５７】
「Man/Machine Interface」クラスは、「DES_Descriptor」、「DVB_Stream」、「ES_Descriptor」の３つのクラスにも接続される。
【００５８】
「DES_Descriptor」クラスの属性は、バージョン番号VersionNumber、更新時間UpdateTime及び要約Summaryを有する。これらの属性は、文字列である。呼び出し可能なメソッドは、要約を呼び出すメソッドReturnSummary()、バージョン番号を呼び出すメソッドReturnVersionNumber()、及び更新時間を呼び出すメソッドReturnUpdateTime()である。
【００５９】
「DVB_Stream」クラスは、静的要約記述子を待つスタンバイメソッドStandbySummaryDescriptor()及び動的要約記述子を待つスタンバイメソッドStandbyDESSummaryDescriptor()を示す。
【００６０】
「ES_Descriptor」クラスは、イベント名属性EvtName及び要約属性Summaryを含む。提供されるメソッドは、イベント名を返すメソッドReturnEvtName()及び要約を返すメソッドReturnSummary()である。
【００６１】
「Man/Machine Interface」クラスと、３つのクラス「DES_Descriptor」、「DVB_Stream」、「ES_Descriptor」の夫々とを接続するリンクは、特にＭＭＩが夫々のクラスのメソッドを呼び出すということを示している。
【００６２】
一方、「DES_Descriptor」クラス及び「ES_Descriptor」クラスの夫々と「DVB Stream」クラスとを接続するリンクは、構成関係を表わすリンクであり、即ち、ＤＶＢストリームが静的要約記述子及び動的要約記述子から構成されることを示すリンクである。
【００６３】
図３の実施例によれば、マイクロプロセッサは、ユーザによって要求された場合にのみストリームの情報を解析する。
【００６４】
ユーザは、遠隔制御装置の「INFO」キーを選択する。遠隔制御受信器は、ＭＭＩのInfoKeyPressedメソッドを呼び出す。ＭＭＩはＤＶＢストリームの「StandbySummaryDescriptor」メソッド及び「StandbyDESSummaryDescriptor」メソッドを呼び出し、それによりＭＭＩ自身を次の静的要約記述子及び動的要約記述子のＤＶＢストリーム中に現れるためのスタンバイ状態にする。これらは、上述の本願出願人の特許出願の公知の方法によりデマルチプレクサのレベルにおいてストリーム中での到着順と関連付けられてフィルタされる。
【００６５】
次にＭＭＩは、静的要約記述子のReturnEvtName()メソッドを呼び出し、このメソッドはＭＭＩに「テキスト」文字列の形式で現在のイベントの名前を戻す。このテキストは、図１の復号化器のメモリブロック２５の第１のメモリ２５１中のDefineEvtName(text)によって情報メニューのために定義される。ＭＭＩは次に、ReturnSummary()メソッドを呼び出し、このメソッドはＭＭＩに文字列の形式で現在イベントの静的要約を戻す。このシーケンスにより、ブロック２５のメモリ２５２においてこの静的要約が記録される。このテキストは、情報メニューのためにも決められる。
【００６６】
同様に、ＭＭＩは動的要約記述子のReturnSummary()メソッドを呼び出し、このメソッドはＭＭＩに文字列の形式で現在イベントの動的要約を戻す。この動的要約は、ブロック２５の第３のメモリ２５３において記録される。この動的要約は、DefineDynamicSummary(text)メソッドによって情報メニューのために決められる。動的要約のバージョン番号は、上述の本願出願人の特許出願に記載されるように、ローカルに保持される。次にＭＭＩはReturnUpdateTime()メソッドを呼び出し、これはＭＭＩに動的要約の最も新しい更新の時間を戻す。この時間は、情報メニューのためにも決められ、第４のメモリ２５４に記録される。
【００６７】
ＭＭＩは次に、InfoMenuクラスのDisplay()メソッドを呼び出し、情報メニューは現在のイベントの名前、その静的要約、その動的要約、及び現時点において最も新しい更新を時間を表示する。
【００６８】
ユーザは、この最新の情報を見ることを望まなくなれば、遠隔制御器のＯＫキーを押し、それによりOKkeyPressed()メソッドを呼び出し、ＭＭＩはInfoMenuクラスのHide()メソッドを呼び出す。すると、情報メニューは要約情報を表示しなくなる。
【００６９】
図４は、ＤＶＢストリームからの動的要約記述子の抽出を示す状態図を示す。ユーザ要求があると、システムは現在の伝送チャネルの現在のイベントに対応するＥＩＴを受信するためにスタンバイ状態となる。現在の伝送チャネルがイベント情報テーブルＥＩＴを含む場合、ＭＭＩは知らされたテーブルの各記述子の識別子を順次に走査し始める（記述子のテーブルは、文献ＥＮ３００４６８Ｖ１．３．１の第６部の表１２に対応する）。この識別子の値がDES_descriptorの値でないかぎり、ＭＭＩは次の記述子に進む。
【００７０】
ＭＭＩがDES_descriptorを見つけると、DES_descriptorの更新バージョン番号を以前のものと比較する。ストリーム中で運ばれる記述子のバージョン番号が既に記憶されているもの以下であれば、記述子は記憶されず、既に記憶されている記述子が可能な表示のために保持される。ストリームから抽出された記述子のバージョン番号が既に記憶されているものよりも大きければ、メモリ２５３に記録されたものの代わりに、抽出された記述子の動的要約テキストが使用される。
【００７１】
起動時及びイベントの変更のたびに、VersionNumberフィールドが再び初期化されることに注意すべきである。
【００７２】
このように、この第１の実施例は、特にマイクロプロセッサにおいて必要とされるリソースが少ないが、ユーザからの要求があった際に、DES_descriptorの２つの連続する伝送の間の時間間隔、即ち約２秒間、に対応する遅延を生じうる。
【００７３】
図１０を参照して以下説明される実施例によれば、抽出された記述子の動的要約のテキストは、メモリ２５４に記録されたテキストを置き換えずに、メモリ２５５に記録される。繰り返して、以前の記述子のバージョン番号よりも大きいバージョン番号を有するDVBストリームから抽出された各記述子の内容は別のメモリに記録される。このようにして、動的要約表示要求は、図１０に示されるように、これらの各メモリ中に記録された全ての動的要約を表示する。上述の部分的な動的要約を連結したものに対応する動的要約は、イベントのばらばらの時間に関連する連続するスライスを通じて累積される。
【００７４】
図５は、動的要約の記述子の抽出についての恒久的な要求モードにおける様々なエンティティ間で行なわれる交換を表わすシーケンス図である。マイクロプロセッサは、連続モードでストリームからの情報を解析する。これは図５中、「SummaryDescriptorStandby」メソッド及び「DESDescriptorStandby」メソッドが連続的に呼び出されていることによって示されている。復元された情報は、様々な方法で記憶されうる。第１のモードによれば、DESはバッファメモリ６中に一時的に記憶され、各動的要約は次の動的要約によって置き換えられる。他のモードによれば、連続的に抽出されたＤＥＳ記述子の全ての動的要約は、ユーザによって要求されたときに表示されうるよう、別々のメモリに記録される。
【００７５】
ＤＥＳ記述子がストリーム中で常に走査されている実施例では、１つ以上の動的要約に関連する情報はキャッシュメモリ中で常に利用可能であり、ユーザによって要求されたときに直ちに表示されうる。
【００７６】
図６は、自動車レースの枠組みにおけるイベントの情報のシーケンスの例を示す図である。以下、動的要約記述子の２つの連続する伝送の間の遅延は、図６中の▲１▼乃至▲６▼で示される様々なステップと比較して小さいもの、即ち、１秒のオーダであると想定する。
【００７７】
時点▲１▼は、イベントの開始に対応する。動的要約DES_descriptorのテキストフィールドは空である。
【００７８】
時点▲２▼は、ユーザが進行中のイベントに対して情報の表示を要求した時点に対応し、DES_descriptorのテキストフィールドはまだ番組提供者によって埋められていない（なぜならば、例えばレースが始まっていないからである）。ユーザは次に、図７に示されるように画面上に戻された静的要約の内容を見る。
【００７９】
時点▲３▼は、レースの開始を示す。最初のラップの後、番組提供者は見せられたばかりのアクションが動的要約の更新をすることを正当化するものであることを決定する。番組提供者は、間隔中に見せられたアクションの要約のDES_descriptorのテキストフィールドを埋め、これをＤＶＢストリーム中で放送する。
【００８０】
時点▲３▼と▲４▼の間に不在であったユーザは、進行中のイベントについての情報の表示を要求する。画面上には、図８に示される情報チャートが表示される。これは、イベント名「自動車レース」と、時点▲４▼におけるメモリ２５１、２５２、２５３の夫々の内容に対応する静的要約ＳＥ及び動的要約ＤＥＳ１とを含む。
【００８１】
時点▲５▼において展開が生じ、提供者はDES_descriptor放送の内容を更新する。
【００８２】
このようにして、時点▲５▼に続く時点▲６▼において要約情報の表示を要求するユーザは、図９に示されるような更新された動的要約DES2を見るであろう。
【００８３】
図１０に示される他の実施例によれば、ユーザによる要約情報の要求に続き、文字発生器１５は、連続モードで抽出された様々な動的要約を含む全てのメモリの内容を伝送し、各動的要約はストリームからこの要約を抽出した時間を伴なう。
【００８４】
図示されていない１つの実施例によれば、動的要約記述子がDVBstreamから抽出された又は特定のメモリに記憶されたとき、テレビジョン化されたイベントを見ているユーザのテレビ画面にインデックスが表示される。ユーザはこのように、この情報の受信及びその更新について警告される。
【００８５】
本発明はまた、上述のDES_descriptor及びES_descriptorを送信するための送信器に関連する。この送信器（図示せず）は、１つの実施例によれば、データストリーム中の記述子を多重化するマルチプレクサを含む。この送信器は、
イベントを送信する手段と、
上記イベントのアップグレード可能な要約を送信する手段とを含み、上記要約の内容は最も新しい時点から上記要約の伝送の時点までに生じたイベントの内容に依存する。
【００８６】
本発明は、もちろん、上述の実施例に制限されるものではない。
【００８７】
従って、動的要約の表示に対するユーザの要求に続いて、静的要約、及び１つ以上の動的要約を、可能であればストリームからの抽出と共に表示することについて説明された。イベントの動的要約に伴う他の情報は、本発明の枠組みに含まれうる。
【００８８】
また、新しい動的要約の出現は現在のイベントによる重要性に依存することが説明された。しかしながら、新しい動的要約の送信が定期的に実行されうることが可能である。
【００８９】
本発明は衛星、無線は、又はケーブルによるデータの伝送にのみ制限されるものではなく、データ又はデータパケットがデータストリーム上に定期的に出現する任意のシステムにおいて実施されうることに注意すべきである。これは、特に記録された、又は予め記録されたデータストリームの場合に当てはまる。
【００９０】
また、本願で説明された例は特にサービスデータに関連するが、本発明はこのデータのタイプに限られるものではないことが明らかである。例えば、いわゆるプライベートデータが同様に処理されうる。
【図面の簡単な説明】
【図１】本発明の典型的な実施例によるテレビ受信器を示すブロック図である。
【図２】本発明の枠組みにおいて様々なエンティティをマッチさせるＵＭＬ（「Unified Modelling Language」）によるクラスを示す図である。
【図３】本発明の第１の実施例によるユーザが動的要約情報を要求した場合の様々なエンティティ間で行なわれる交換のシーケンスを示す図である。
【図４】本発明の第１の実施例によるＤＶＢストリームからの動的要約記述子の抽出について示す状態図である。
【図５】本発明の第１の実施例による動的要約情報の抽出の恒久的な要求モードにおける様々なエンティティ間で行なわれる交換のシーケンスを示す図である。
【図６】自動車レースの枠組みでイベントの情報のシーケンシングの例を示す図である。
【図７】レースの開始における図６に対応するイベントの「情報チャート」のレイアウトを示す図である。
【図８】動的要約記述子のテキストフィールドが書き込まれた時点における情報チャートを示す図である。
【図９】動的要約記述子のテキストフィールドが再び書き込まれた後の時点における情報チャートを示す図である。
【図１０】デマルチプレクサから抽出された全ての動的要約を表示するための他の実施例を示す図である。
【符号の説明】
１    アンテナ
２    チューナ
３    復調器
４    補正回路
５    デマルチプレクサ
６    バッファメモリ
７    暗号解読器
８    照合マイクロコントローラ
９    マイクロプロセッサカード用インタフェース
１０    マイクロプロセッサカード
１１    遠隔制御装置
１２    メモリ
１３    モデム
１４    交換電話網
１５    キャラクタ発生器
１６    オーディオ復号化器
１７    ビデオ復号化器
１８    テレテキスト復号化器
１９    モジュール
２０    多重化回路
２１    ビデオレコーダ
２２    テレビ受像機
２３    マイクロプロセッサ
２４    遠隔制御装置
２５    メモリブロック
【図１】
0004845257.tif 000004
【図２】
0004845257.tif 000005
【図３】
0004845257.tif 000006
【図４】
0004845257.tif 000007
【図５】
0004845257.tif 000008
【図６】
0004845257.tif 000009
【図７】
0004845257.tif 000010
【図８】
0004845257.tif 000011
【図９】
0004845257.tif 000012
【図１０】
0004845257.tif 000013